(57)【特許請求の範囲】
【請求項１】
水蒸気に電荷を与えて凝縮させ、この凝縮させた水蒸気を回収する水蒸気回収装置であって、水蒸気を発生する装置に前記水蒸気を発生する装置内の圧力を検知する圧力センサを設け、この圧力センサの検知によって水蒸気回収装置の運転制御を行うことを特徴とする水蒸気回収装置。
【発明の詳細な説明】
【０００１】
【発明の属する技術分野】
本発明は、調理・シャワー室等で出る水蒸気を効率よく回収するために使用され、室内の天井や壁面などの結露を防止する空気調和技術分野の水蒸気の回収装置における制御方法に関する。
【０００２】
【従来の技術】
従来、この種の水蒸気の回収する装置は、一般的に換気扇やレンジフードが用いられ、室内で発生した水蒸気を室外もしくは、別の空間に排出する方法を取っていた。また、室内で発生する水蒸気を除去・排出することによりカビの発生を防止する換気システムとして、特開平０６−１４７５８３号公報に示すような室内の換気扇を運転し、制御することや換気扇やレンジフードで室内で発生した水蒸気を排出する方法が一般的であった。以下、その構成について図１６を参照しながら説明する。
【０００３】
図１６に示すように室内にある水蒸気を発生する調理台の上方や壁面に、調理から出る水蒸気や室内で発生した水蒸気を排出するようにファンモータ１０１が設けて有り、ファンモータ１０１を囲うケーシングとしてフード１０２を設けている。
【０００４】
上記構成において、ファンモータ１０１を運転し、調理等の水蒸気発生装置１０３からの水蒸気が、フード１０２内に強制的に吸引され、室外に排出される。
【０００５】
また、図には示していないがシャワー室・浴室等で発生した水蒸気も同様にファンモータ１０１を運転し、室内から発生する水蒸気を室外に排出する。
【０００６】
【発明が解決しようとする課題】
このような従来の水蒸気を排出する装置では、蒸気発生の認識が困難で連続的に装置を運転する必要があるため、連続的に装置に通電し消費電力を多く使用しさらに室内の空気を排出するため、室内の空調に必要なエネルギーを増加させるという課題があり、水蒸気が発生すると同時に運転し、装置の消費電力を低減させ、室内の空調に必要なエネルギーを低減することが要求されている。
【０００７】
また、水蒸気発生の認識する回路の位置が風下側の場合、風上側より水蒸気の流入経路が長いため水蒸気を認識する時間が遅れ、水蒸気の回収する時間が遅れるという課題があり、蒸気認識の速度を速め、確実に水蒸気を回収することが要求されている。
【０００８】
また、加熱器から水蒸気が発生する場所は、多くの水分を蒸発させるため作業室内全体の湿度を上昇させる。しかし、冷蔵庫や冷凍庫からの冷気は冷却効果で室内の１部に水蒸気を発生させ、室内全体の湿度を上げないため、湿度による認識がし難いという課題があり、湿度に影響されないで水蒸気を効率良く回収することが要望されている。
【０００９】
また、食品工場等の煮物や燻製を作製している加工工程の装置は、連続的に加工食品を作製しているため、定期的な修理以外には加工工程を止めることができないという課題があり、メンテナンス部品を減らし、簡単に修理ができることが要求されている。
【００１０】
また、大量に煮物や燻製を作製している場所は、無人化の加工工程を持ち、人が蒸気発生を認識し水蒸気を回収する装置を運転することができないという課題があり、自動的に蒸気を認識し、蒸気を回収することが要求されている。
【００１１】
また、冷蔵庫、冷凍庫の冷風や釜の煮こみなどの熱風など、発生源とその雰囲気の温湿度により水蒸気発生が異なるため、水蒸気の認識がしづらいという課題があり、実際の人が目で見られる水蒸気を除去することが要求されている。
【００１２】
また、さらに発生した水蒸気は、乾燥状態の雰囲気中では、雰囲気中に拡散し、湿度を上昇させるという課題があり、どんな雰囲気でも水蒸気の拡散を防止し、多量に水蒸気を回収することができることが要望されている。
【００１３】
また、大量の水蒸気が発生する場所は、水蒸気を発生量に追いつくため、装置容量を大きくするという課題があり、同容量で大量な水蒸気を効率的に回収することが要望されている。
【００１４】
また、食品工場の煮物調理の水蒸気やシャワーの水蒸気などは、発生源の水温が雰囲気中の温度よりかなり高く、急に水蒸気を発生するため、装置内の水蒸気の認識する手段を設けても、発生量を処理することができないという課題があり、未然に水蒸気の発生を認識した水蒸気回収装置の制御が要望されている。
【００１５】
また、食品工場の煮物調理の水蒸気などは、加熱により発生源の容器内の圧力が上がり、急激に水蒸気が発生するため、装置内に水蒸気の認識する手段を設けても、発生した水蒸気が拡散してしまうため、認識できないという課題があり、さらに未然に水蒸気の発生を認識した水蒸気回収装置の制御が要望されている。
【００１６】
また、食品工場の煮物調理の水蒸気や湯焚きなどは、釜や鍋により、密閉容器で加熱され、釜や鍋の蓋を開放すると、急に水蒸気を発生するため、装置内の水蒸気の認識する手段を設けても、発生が認識できず水蒸気を処理できないという課題があり、未然に水蒸気の発生を認識しかつ未然に容易に水蒸気の発生を認識することが要望されている。
【００１７】
また、食品工場の煮物調理や湯焚きなどは、オートメーション化により、数多くの装置で構成されているため、いちいち、各装置に水蒸気を認識する手段を付けるとその分、装置にかかる費用が上がるという課題があり、数多くの水蒸気発生装置でも簡単に水蒸気を認識することが要望されている。
【００１８】
また、発生した水蒸気が雰囲気温度より高い場合、上昇気流を作り水蒸気は上方に浮上する傾向があるが、雰囲気中に拡散するものも多いため、水蒸気を回収する装置内に流れないという課題があり、水蒸気を回収する装置内に誘引し、回収することが要求されている。
【００１９】
また、水蒸気は、雰囲気湿度により、発生量が変わり、水蒸気の回収装置内に入る前に水蒸気量が低下するという課題があり、雰囲気温度に影響を受けないことが要望されている。
【００２０】
【課題を解決するための手段】
本発明は、このような従来の課題を解決するものであり、水蒸気が発生すると同時に運転し、消費電力を低減させることができ、また、蒸気認識を早期に確実にすることができ、また、湿度に影響されないで水蒸気を効率良く回収することができ、また、メンテナンス部品を減らし、簡単に修理ができ、また、自動的に蒸気を認識し、蒸気を回収することができ、また、実際の人が目で見られる水蒸気を除去することができ、また、どんな雰囲気でも水蒸気の拡散を防止し、多量に水蒸気を回収することができ、また、同容量で多量の水蒸気を回収することができ、また、未然に水蒸気の発生を認識した水蒸気回収装置の制御ができ、また、さらに未然に水蒸気の発生を認識した水蒸気回収装置の制御ができ、また、未然に水蒸気の発生を認識しかつ未然に容易に水蒸気の発生を認識することができ、また、複数の水蒸気発生装置でも簡単に水蒸気を認識することができ、さらに安価に作製でき、また、水蒸気を回収する装置内に誘引し、回収することができ、また、雰囲気温度に影響を受けないことができる水蒸気回収装置を提供することを目的としている。
【００３０】
【発明の実施の形態】
本発明は、水蒸気に電荷を与えて凝縮させ、この凝縮させた水蒸気を回収する水蒸気回収装置であって、水蒸気を発生する装置に前記水蒸気を発生する装置内の圧力を検知する圧力センサを設け、この圧力センサの検知によって水蒸気回収装置の運転制御を行うことを特徴とする水蒸気回収装置としたものであり、蒸気の発生前に、圧力センサが感知し、水蒸気回収装置の運転ができるため、水蒸気発生が急に起こっても、事前に発生する状況が正確に判り、水蒸気回収装置内に急に発生した水蒸気を多く引き込むことができる。
【００３５】
以下、本発明の実施例について図面を参照しながら説明する。
なお、従来例と同一箇所には同一符号を付し、その詳細な説明は省略する。
【００３６】
【実施例】
（参考例１）
図１に示すように、水蒸気回収装置１は、金属製の放電手段である放電線２と、放電線２を挟み込むように水蒸気を凝集する凝集手段として金属製の格子状の保護ネット３と、放電線２と保護ネット３に水蒸気を含んだ空気を通風させる送風手段であるファンモータ１０１と保護ネット３の風上側に水蒸気の湿度を検知する湿度センサ４と、回収した水滴を溜める受水板５と受水板５に溜まった水滴を排出する排水管６と放電線に電力を供給する電力ユニット７と外枠１０２とを備える。放電線２は、タングステンを用い、線径は１００〜１５０μｍで金でメッキを施したものを用いている。また保護ネット３は、線径が０．１ｍｍでステンレス製のもので、格子は□３ｍｍのものを用いている。また、放電線２と保護ネット３には、電力ユニット７より、４〜６ｋＶ／ｃｍ２の電界が供給できるものを用いている。
【００３７】
また、図２に湿度センサ４の入力と放電線２の通電状況とファンモータ１０１の運転状況を示す。
【００３８】
上記構成により、シャワーもしくは調理より発生した水蒸気は、上昇気流を生じ水蒸気回収装置１内に導かれ、湿度センサ４付近を通過し、湿度センサ４で水蒸気を含んだ空気が湿度９０％以上の時に放電線２に電力ユニット７より直流の電気が供給され、また湿度センサ４で水蒸気を含んだ空気が湿度９０％以上の時にファンモータ１０１を運転するような制御信号が作り出され、運転するような制御をする。水蒸気は上昇気流とファンモータ１０１の送風により、保護ネット３と放電線２に通風され、放電線２と保護ネット３内のコロナ放電領域で水蒸気に電荷を与えられ、凝集および保護ネット３に付着し、水滴となり、水滴は保護ネット３より受水板５に落ち、さらに排水管６を通り、排水し、空気中の水蒸気を回収することとなる。
【００３９】
また、水蒸気発生装置１０３から発生する水蒸気を認識し、室内の水蒸気を回収することで、室内壁面に水蒸気が付着することを防止し、壁面材料と水分を栄養源とする微生物の繁殖を防止し、落下細菌や室内の浮遊微生物を低下させることができる。
【００４０】
また、湿度センサ４が、自動的に水蒸気回収装置１を運転するため、装置の運転停止作業を無くし、装置の運転状況の管理を容易にすることができる。
【００４１】
なお、参考例では、放電手段として、線状の放電線２を用いたが、針、粒状、もしくは、保護ネットのような格子状のものを用いてもよい。
【００４２】
また、参考例では、放電線２にタングステンを用いたが、他の金属や金属製のものに代えて、導電性のある樹脂やセラミックや繊維および導電のある塗料等を塗った非導電性の樹脂やセラミックや繊維を用いても、その作用効果に差異を生じない。
【００４３】
また、参考例では、放電線２の線径が１００〜１５０μｍのものを用いたが、放電ができる線径であるものを用いれば、その作用効果に差異を生じない。
【００４４】
また、参考例では、凝集手段として格子状の保護ネット３を用いたが、板状、板に針を付けたもの、粒状、もしくは、線状のものなど、放電手段の電気が通電する手段であればよい。
【００４５】
また、参考例では、保護ネット３にステンレス製のものを用いたが、他の金属や金属製のものに代えて、導電性のあるものおよび導電のある塗料等を塗った非導電性の樹脂やセラミックや繊維を用いても、その作用効果に差異を生じない。
【００４６】
また、参考例では、保護ネット３に線径が０．１ｍｍのものを用いたが、放電線２との間にコロナ放電領域ができる線径を用いれば、その作用効果に差異を生じない。
【００４７】
また、参考例では、電力ユニット７より直流の電気が供給するものを用いたが、放電線２と保護ネット３の間にコロナ放電領域ができる電源方式であれば、交流、高周波の電気を用いてもよい。
【００４８】
また、参考例では、格子状の保護ネット３と放電線２を風向きに対し、垂直に設置したが、平行もしくは放電線を囲む状態で設置して用いてもよい。
【００４９】
また、参考例では、金属製の格子状の保護ネット３を使用したが、金属に塗料、光触媒、メッキ等の皮膜をしたものや、樹脂に導電塗料や導電フィルム等を付けてもその作用効果に差異を生じない。
【００５０】
また、参考例では、排水管６より、排水したが、吸収材を設置して排水を除去しても、その作用効果に差異を生じない。
【００５１】
また、参考例では、放電線２と保護ネット３には、電力ユニット７で４〜６ｋＶ／ｃｍ２の電界を供給したが、６ｋＶ／ｃｍ２以上の電界を短波、パルスで供給し、その作用効果に差異を生じない。
【００５２】
また、シャワーもしくは、調理から発生した水蒸気としたが、霧、加湿水でも飽和水蒸気であれば、回収することができる。
【００５３】
（参考例２）
なお、参考例１と同一箇所には同一符号を付し、その詳細な説明は省略する。
【００５４】
図３に示すように、水蒸気回収装置１は、保護ネット３の風上側に結露を検知する結露センサ８を備え、この結露センサ８は電気伝導度を測定する薄膜のセンサを用いる。
【００５５】
また、図４に結露センサ８の入力と放電線２の通電状況とファンモータ１０１の運転状況を示す。
【００５６】
上記構成により、湿度が高い雰囲気でのシャワーもしくは調理より発生した水蒸気は、上昇気流を生じ、水蒸気回収装置１内に導かれ、結露センサ８付近を通過し、水蒸気を含んだ空気が結露センサ８で結露を生じた時に放電線２に電力ユニット７より直流の電気が供給され、またファンモータ１０１を運転するような制御信号を作りだし、運転するような制御をする。水蒸気は上昇気流とファンモータ１０１の送風により、保護ネット３と放電線２を通過し、放電線２と保護ネット３内のコロナ放電領域で電荷を与えられ、凝集および保護ネット３に付着し、水滴となり、水滴は保護ネット３より受水板５に落ち、さらに排水管６を通り、排水し、空気中の水蒸気を回収することとなり、飽和水蒸気以上の過熱蒸気雰囲気の水蒸気や冷却された１部の水蒸気でも認識でき、室内の湿度にかかわらず、急な水蒸気の発生にも水蒸気回収装置１を運転できる。
【００５７】
なお、参考例では、結露センサ８として電気伝導度を測定する薄膜のセンサを用いたが、半導体や光触媒を利用した表面結露を判定できる測定器を用いてもよい。
【００５８】
（参考例３）
なお、参考例１と同一箇所には同一符号を付し、その詳細な説明は省略する。
【００５９】
図５に示すように、水蒸気回収装置１は、雰囲気の水蒸気を電位検知する通電抵抗検出手段として放電線２と保護ネット３とに微量の電流を流す微量電流ユニット９を備える。
【００６０】
また、図６に微量電流検知と放電線２の通電状況とファンモータ１０１の運転状況を示す。
【００６１】
上記構成により、シャワーもしくは調理より発生した水蒸気は、上昇気流を生じ、水蒸気回収装置１内に導かれ、放電線２や保護ネット３を通過し、通過時に水蒸気により空気中の絶縁抵抗が低下し、電流が流れやすくなる。前もって放電線２と保護ネット３に微量な一定放電電流が微量電流ユニット９より供給されているため、絶縁抵抗が低下するとすなわち水蒸気が発生すると一定放電電流以上の電流が流れ、水蒸気の発生を検知することができ、そして検知後、放電線２に電力ユニット７より直流の電気が供給され、またファンモータ１０１を運転するような制御信号を作りだし、運転するような制御をする。水蒸気は上昇気流とファンモータ１０１の送風により、保護ネット３と放電線２に通風され、放電線２と保護ネット３内のコロナ放電領域で電荷を与えられ、凝集および保護ネット３に付着し、水滴となり、水滴は保護ネット３より受水板５に落ち、さらに排水管６を通り、排水し、空気中の水蒸気を回収することとなる。
【００６２】
また、微量電流ユニット９として、放電電源と検知電源を別に称したが、実際は同じ装置で電流検知手段を設けることができる。
【００６３】
また、水蒸気回収装置の大きさや、付属の部品をつけることなく制御ができ、製作時の工数を減らし、材料コストを低減することができ、安価に作製でき、さらに水蒸気の発生がなくとも一定放電電流が放電線２と保護ネット３に流れているため、空気放電によりオゾンが発生し、水蒸気回収装置１内もしくは水蒸気回収装置１周辺を殺菌することもできる。
【００６４】
（参考例４）
なお、参考例１と同一箇所には同一符号を付し、その詳細な説明は省略する。
【００６５】
図７に示すように、水蒸気回収装置１は、保護ネット３の風上側に水蒸気の色を検知する透過度センサ１０を備える。
【００６６】
上記構成により、実際に水蒸気が多量に発生すると目の前が白くなるように、水蒸気は、上昇気流を生じ、水蒸気回収装置１内に導かれ、透過度センサ１０付近を通過し、目の前が白くなる程度の水蒸気を含んだ空気が透過度センサ１０内を通過し、透過度センサ１０が透過度で水蒸気を検知し、放電線２に電力ユニット７より直流の電気が供給され、またファンモータ１０１を運転するような制御信号を作りだし、運転するような制御をする。水蒸気は上昇気流とファンモータ１０１の送風により、保護ネット３と放電線２に通風し、放電線２と保護ネット３内のコロナ放電領域で電荷を与えられ、凝集および保護ネット３に付着し、水滴となり、水滴は保護ネット３より受水板５に落ち、さらに排水管６を通り、排水し、空気中の水蒸気を回収することとなる。
【００６７】
また、人が見ることができる水蒸気を回収することができ、作業者の視界を確保し安全に作業を行う環境を作ることができる。
【００６８】
（参考例５）
なお、参考例１と同一箇所には同一符号を付し、その詳細な説明は省略する。
【００６９】
図８に示すように、水蒸気回収装置１の風上側で水蒸気を含む空気に冷気を送風する手段としての冷却装置１１を備える。
【００７０】
上記構成により、水蒸気発生装置１０３より水蒸気が発生し、水蒸気回収装置１の前で、空気中拡散しようとする水蒸気を低温化することで、凝集効果を引起し、水蒸気の拡散を防止し多量の水蒸気を発生させ、回収することとなり、水蒸気発生装置から発生する水蒸気をさらに効率よく回収し室内の湿度上昇を防止し、室内の湿度を一定に保つ。そして作業環境の空調機の運転状態を一定もしくは、無駄な運転すなわち、湿度上昇による起動や、温湿度変動による消費エネルギーの増加を防止し、消費エネルギーを低減することができる。
【００７１】
（参考例６）
なお、参考例１と同一箇所には同一符号を付し、その詳細な説明は省略する。
【００７２】
図９に示すように、水蒸気回収装置１の風上側で水蒸気を含む空気に水蒸気を回収した飽和直前の空気を送る手段として、排気風路を分岐し風路１２を備えた。
【００７３】
上記構成により、水蒸気発生装置１０３より水蒸気が発生し、水蒸気回収装置１の前で、空気中の湿度の低い所に拡散しようとする水蒸気を排気風路１２から飽和直前の空気を吹き出すことで、雰囲気中を飽和水蒸気下にし水蒸気を持続させ、水蒸気の拡散を防止し多量の水蒸気を回収することとなり、上昇気流で上がる水蒸気の拡散を防止し、水蒸気の回収効率を上げ、装置内を導入されても雰囲気中の空気に水分を奪われないため確実に回収でき、さらに回収されなかった水蒸気を再度回収することができるため、水蒸気回収装置１から漏れる水蒸気を防止することができる。
【００７４】
（参考例７）
図１０に示すように、水蒸気発生装置１０３に設置した湿度センサ出力と水蒸気発生装置１０３の湿度センサ４を備えた時の水蒸気回収装置１内の湿度センサ４出力と水蒸気回収装置１内湿度センサのみの時の出力と放電線２の通電とファンモータ１０１の運転状況を示しており、水蒸気発生装置１０３から排出した水蒸気は、水蒸気回収装置１に入るまでに雰囲気中に拡散し、水蒸気発生から水蒸気回収装置１の湿度センサ４が検知するまでに数秒遅れる。また水蒸気が拡散するため、雰囲気中の湿度を高め、水蒸気回収装置１の通電する時間を長くしてしまう。しかし、水蒸気発生装置１０３に湿度センサ４をつけることで、水蒸気発生と同時にファンモータ１０１に通電しさらに、放電線２や保護ネット３に電力を供給することでファンモータ１０１により水蒸気回収装置１内に強制的に早く吸引され、発生した水蒸気の上昇気流も加わり短時間で水蒸気を回収する制御ができる。
【００７５】
上記構成より、オートメーション工場等で急な水蒸気の発生に対し予め予測することで、水蒸気回収装置を連続的に運転することが無く、上昇気流で浮かぶ水蒸気の回収効率を上げ、短時間で水蒸気を回収し、室内雰囲気に流れる水蒸気を防止することができる。
【００７６】
（実施例１）
図１１に示すように、水蒸気発生装置１０３内の圧力を検知する圧力センサの出力と水蒸気発生装置１０３内の圧力を検知する圧力センサを備えた時の水蒸気回収装置１内の湿度センサ４出力と水蒸気回収装置１内に湿度センサ４のみを設置した時の出力と放電線２の通電とファンモータ１０１の運転状況を示しており、水蒸気発生装置１０３から出た水蒸気が水蒸気回収装置１に入るまでに、雰囲気中に拡散し、水蒸気発生から水蒸気回収装置１の湿度センサが検知するまでに数秒遅れる。また水蒸気が拡散するため、室内の雰囲気中の湿度を高め、水蒸気回収装置１の通電する時間を長くしてしまう。しかし、水蒸気発生装置１０３に圧力センサをつけることで、さらにファンによる強制排気が早く起こり、上昇気流と重なった時素早く水蒸気を回収する水蒸気回収装置に吸引し、短時間で回収する制御ができる。
【００７７】
上記構成により、オートメーション工場等で急な水蒸気の発生に対し予め予測することで、水蒸気回収装置を連続的に運転することが無く、さらに上昇気流で上がる水蒸気の回収効率を上げ、室内天井への漏れを防止することができる。
【００７８】
（参考例８）
図１２に示すように、水蒸気発生装置１０３に蓋開閉検知手段として蓋開閉が確認できる赤外線センサの出力と水蒸気回収装置１内湿度センサ４のみの時の出力と放電線２の通電とファンモータ１０１の運転状況を示し、水蒸気発生装置１０３から出た水蒸気は水蒸気回収装置１内に入るまでに、雰囲気中に拡散し、水蒸気発生から水蒸気回収装置１の湿度センサ４が検知するまでに数秒遅れる。また水蒸気が拡散するため、室内の雰囲気中の湿度を高め、水蒸気回収装置の通電する時間を長くしてしまう。しかし、水蒸気発生装置１０３の蓋の開閉を赤外線センサの出力で検知することで、さらにファンによる強制排気が早く起こり、上昇気流と重なった時素早く水蒸気を回収する水蒸気回収装置に吸引し、短時間で回収することができる。
【００７９】
上記構成により、オートメーション工場等で水蒸気を発生する装置が複数あっても、水蒸気回収装置の下方に来た水蒸気を発生する装置を１ヶ所で検知することができ、複数の各機器にセンサを設けることがなく、簡単に設置することができる。
【００８０】
なお、参考例では、赤外線センサを例に挙げたが、同様な出力を検知できる手段であれば、例えば、蓋の開いた時に押しボタンスイッチは入り、出力されるとか、蓋の開閉時の音により出力されるとかを用いてもよい。
【００８１】
（参考例９）
なお、参考例１と同一箇所には同一符号を付し、その詳細な説明は省略する。
【００８２】
図１３に示すように、水蒸気発生装置１０３の蓋が開閉する時間をタイマー制御した出力と、水蒸気回収装置１内湿度センサ４のみの時の出力と放電線２の通電とファンモータ１０１の運転状況さらに、装置の蓋が開閉する時の出力を示す。
【００８３】
図１４に、水蒸気回収装置１とオートメーション工場での水蒸気を発生する装置を示し、オートメーション工場などは、水蒸気を発生する装置が一定時間で水蒸気回収装置１の下方に置かれ、ある時間間隔で水蒸気発生装置１０３により水蒸気が発生し水蒸気回収装置１に入るまでに、雰囲気中に拡散し、水蒸気回収装置１内の湿度センサ４が検知するまでに数秒遅れる。また水蒸気が拡散するため、室内の雰囲気中の湿度を高め、水蒸気回収装置１の通電する時間を長くしてしまう。しかし、発生する装置が一定時間に読取り、タイマーにより出力することで、さらにファンモータ１０１による強制排気が早く起こり、上昇気流と重なった時素早く水蒸気を回収する水蒸気回収装置１に吸引し、短時間で回収することができる。
【００８４】
上記構成により、オートメーション工場等で水蒸気を発生する装置が複数あっても、水蒸気回収装置１の下方に来た水蒸気を発生する装置を検知することがなく、複数の各機器にセンサを設けることがなく、簡単に設置することができる。
【００８５】
（参考例１０）
なお、参考例１と同一箇所には同一符号を付し、その詳細な説明は省略する。
【００８６】
図１５に示すように、水蒸気回収装置１の風上側に回収された水蒸気を含まない空気を送風する手段１３と水蒸気の拡散を防止し吹きだし開口部１４を備える。
【００８７】
上記構成により、水蒸気発生装置１０３より水蒸気が発生し、水蒸気回収装置１の前で、空気中拡散しようとする水蒸気に４方向から水蒸気を回収した空気を送風手段１３で送ることで、水蒸気回収装置１の前で竜巻が発生し、水蒸気発生装置１０３からの水蒸気を水蒸気回収装置１に強制的に吸い込ませる。もちろん、吹きだし開口部１４からは飽和した空気が発生しているため水蒸気発生装置１０３からの水蒸気は持続し、水蒸気の拡散を防止し多量の水蒸気を回収することとなる。
【００８８】
さらに、フードを伸ばすことで室内の湿度を一定に保ち、作業環境の空調機の運転を一定にし、立上げや、変動による消費エネルギーを低減することができ、拡散する水蒸気を回収することができ、多量の水蒸気を回収し、また外風等の影響を受けないため、外風からの粉塵や微生物の混入を防止することができる。
【００８９】
また、発生する水蒸気量を増加させ、誘引力を高め、拡散を防止し、ファン入力に対し回収率を増加させ、省エネルギーとし水蒸気発生時の上昇気流でのホコリが舞う現象を防止し、さらに水蒸気の発生する装置内に粉塵が入り、汚染もしくは、微生物のコンタミを防止することができる。
【００９０】
なお、参考例では、送風手段１３を設置したが、ファンモータを利用して分流した空気を用いてもその作用効果に差異を生じない。
【００９１】
【発明の効果】
以上の実施例から明らかなように、本発明によれば、水蒸気の室内壁面付着を防止し、微生物の繁殖を防止し、落下細菌を低下させるという効果のある水蒸気回収装置を提供できる。
【００９２】
また、自動で水蒸気回収装置を運転するため、装置の運転停止を人が行うことが無く、運転管理をなくすことができる効果のある水蒸気回収装置を提供できる。
【００９３】
また、飽和水蒸気以上の過熱蒸気雰囲気の空気でも水蒸気が認識でき、急な発生にも装置が運転できる効果のある水蒸気回収装置を提供できる。
【００９４】
また、水蒸気回収装置の大きさや付属の部品をつけることなく制御ができ、製作時の工数を減らし、材料コストを低減することができ、安価に作製できる効果のある水蒸気回収装置を提供できる。
【００９６】
また、飽和水蒸気以上の低温雰囲気の空気でも水蒸気が認識でき、急な発生にも装置が運転でき、さらに、実際に作業者の見える空間を提供し、安全に作業ができる環境を作り出すという効果のある水蒸気回収装置を提供できる。
【００９７】
また、空気中の水分をより多く回収することができ、室内の湿度を低下させ、快適な作業環境を作ることができる効果のある水蒸気回収装置を提供できる。
【００９８】
また、空気中の水分をより多く回収することができ、室内の湿度を一定に保ち、作業環境の空調エネルギーを低減することができる効果のある水蒸気回収装置を提供できる。
【００９９】
また、オートメーション工場等で急な水蒸気の発生に対し予め予測することで、水蒸気回収装置を連続的に運転することが無く、上昇気流で上がる水蒸気の回収効率を上げ、室内天井への漏れを防止することができる効果のある水蒸気回収装置を提供できる。
【０１００】
また、オートメーション工場等で急な水蒸気の発生に対し予め予測することで、水蒸気回収装置を連続的に運転することが無く、さらに上昇気流で上がる水蒸気の回収効率を上げ、室内天井への漏れを防止することができる効果のある水蒸気回収装置を提供できる。
【０１０１】
また、オートメーション工場等で急な水蒸気の発生に対し予め予測することで、水蒸気回収装置を連続的に運転することが無く、簡易的に制御し、水蒸気の発生する装置が多くあるような場所で簡単に取り付けることができ、運転と停止という単純な制御であるため、水蒸気の発生する装置の組込みが簡単で、または、１ヶ所で制御することができ設備導入時の費用を低減できる効果のある水蒸気回収装置を提供できる。
【０１０２】
また、オートメーション工場等で急な水蒸気の発生に対し予め予測することで、水蒸気回収装置を連続的に運転することが無く、簡易的に制御し、水蒸気の発生する装置が多くあるような場所で簡単に取り付けることができ、時間という単純な制御であるため、水蒸気の発生する装置の組込みがなく制御できる効果のある水蒸気回収装置を提供できる。
【０１０３】
また、拡散する水蒸気を回収することができ、多量の水蒸気を回収し、また外風等の影響を受けないため、外風からの粉塵や微生物の混入を防止することができる効果のある水蒸気回収装置を提供できる。
【０１０４】
また、発生する水蒸気量を増加させ、誘引力を高め、拡散を防止し、ファン入力に対し回収率をアップし省エネルギーとし、水蒸気発生時の上昇気流でのホコリが舞う現象を防止し、さらに水蒸気の発生する装置内に粉塵が入り、汚染もしくは、微生物のコンタミを防止することができる効果のある水蒸気回収装置を提供できる。
【図面の簡単な説明】
【図１】  参考例１の水蒸気回収装置の斜視図
【図２】  同湿度センサの出力と放電線の通電、ファンモータの運転状況図
【図３】  参考例２の水蒸気回収装置の斜視図
【図４】  同結露センサの出力と放電線の通電、ファンモータの運転状況図
【図５】  参考例３の水蒸気回収装置の斜視図
【図６】  同微量電流の変化と放電線の通電、ファンモータの運転状況図
【図７】  参考例４の水蒸気回収装置の斜視図
【図８】  参考例５の水蒸気回収装置の斜視図
【図９】  参考例６の水蒸気回収装置の斜視図
【図１０】  参考例７の水蒸気発生装置内の湿度センサの出力と、装置内の湿度センサ出力と、放電線の通電・ファンモータの運転状況図
【図１１】  本発明の実施例１の水蒸気発生装置内の圧力センサの出力と、装置内の圧力センサ出力と、放電線の通電、ファンモータの運転状況図
【図１２】  参考例８の赤外線センサの出力と湿度センサの出力と放電線の通電、ファンモータの運転状況図
【図１３】  参考例９のある一定時間での出力と水蒸気回収装置内湿度センサの出力と放電線の通電、ファンモータの運転状況図
【図１４】  同水蒸気回収装置とオートメーション工場での水蒸気を発生する装置の斜視図
【図１５】  参考例１０の水蒸気回収装置とオートメーション工場での水蒸気を発生する装置の斜視図
【図１６】  従来例の水蒸気を排気する装置の斜視図
【符号の説明】
１   水蒸気回収装置
２   放電線
３   保護ネット
４   湿度センサ
５   受水板
６   排水管
７   電力ユニット
８   結露センサ
９   微量電流ユニット
１０  透過度センサ
１１  冷却装置
１２  風路
１３  送風手段
１４  吹きだし開口部
【図１】
0004278751.tif 000002
【図２】
0004278751.tif 000003
【図３】
0004278751.tif 000004
【図４】
0004278751.tif 000005
【図５】
0004278751.tif 000006
【図６】
0004278751.tif 000007
【図７】
0004278751.tif 000008
【図８】
0004278751.tif 000009
【図９】
0004278751.tif 000010
【図１０】
0004278751.tif 000011
【図１１】
0004278751.tif 000012
【図１２】
0004278751.tif 000013
【図１３】
0004278751.tif 000014
【図１４】
0004278751.tif 000015
【図１５】
0004278751.tif 000016
【図１６】
0004278751.tif 000017